(57)【要約】【課題】光ディスクの径方向位置に応じて線速度倍率を可変に記録する場合に、各時点で光ビームを適正な記録パワーに制御して高品位な記録を行えるようにする。【解決手段】光ビームの記録パワーｙを線速度倍率ｘに応じて、関数ｙ＝ａｘ＋ｂに従って可変制御する。該関数のａの値をディスク種類に応じた固定値とする。光ディスクの記録に先立ち、適宜の１つの線速度倍率でテスト記録を行い、その線速度倍率での適正記録パワーを求める。該記録パワーが該線速度倍率での前記関数の解となる前記ｂの値を求める。本番の記録時に、各径方向位置での線速度倍率に応じて、該関数に基づき適正記録パワー値を求めて、光ビームを該求められた記録パワー値に制御する【選択図】　図１
2004030893.tif 000002
【特許請求の範囲】
【請求項１】
光ディスクの径方向位置に応じて線速度倍率を可変に記録する方法であって、
光ディスクの記録に先立ち、本番の記録で使用する線速度倍率の可変範囲よりも低い複数の線速度倍率でそれぞれテスト記録を行い、該各線速度倍率での適正記録パワーを求め、これら複数の線速度倍率について求められた適正記録パワーに基づき線速度倍率に対する適正記録パワーの特性を設定し、
本番の記録時に、各径方向位置での線速度倍率に応じて、前記特性に基づき適正記録パワー値を求めて、前記光ビームを該求められた記録パワー値に制御する光ディスク記録方法。
【請求項２】
光ディスクの径方向位置に応じて線速度倍率を可変に記録する方法であって、
光ディスクの記録に先立ち、本番の記録で使用する可変範囲内の１つの線速度倍率および該可変範囲よりも低い１つまたは複数の線速度倍率でそれぞれテスト記録を行い、該各線速度倍率での適正記録パワーを求め、これら複数の線速度倍率について求められた適正記録パワーに基づき線速度倍率に対する適正記録パワーの特性を設定し、
本番の記録時に、各径方向位置での線速度倍率に応じて、前記特性に基づき適正記録パワー値を求めて、前記光ビームを該求められた記録パワー値に制御する光ディスク記録方法。
【請求項３】
前記特性が１つの一次関数または１つの二次以上の関数で構成される請求項１または２記載の光ディスク記録方法。
【請求項４】
光ディスクの径方向位置に応じて線速度倍率を可変に記録する方法であって、
光ビームの記録パワーｙを線速度倍率ｘに応じて、関数
ｙ＝ａｘ＋ｂ
に従って可変制御するものとし、
該関数のａの値をディスク種類に応じた固定値とし、
光ディスクの記録に先立ち、適宜の１つの線速度倍率でテスト記録を行い、その線速度倍率での適正記録パワーを求め、該記録パワーが該線速度倍率での前記関数の解となる前記ｂの値を求め、
本番の記録時に、各径方向位置での線速度倍率に応じて、前記ａおよびｂの値が設定された前記関数に基づき適正記録パワー値を求めて、前記光ビームを該求められた記録パワー値に制御する光ディスク記録方法。
【請求項５】
光ディスクの径方向位置に応じて線速度倍率を可変に記録する方法であって、
光ビームの記録パワーｙを線速度倍率ｘに応じて、関数
ｙ＝ａｘ＋ｂ
に従って可変制御するものとし、
該関数のａの値をディスク種類に応じた固定値とし、
光ディスクの記録に先立ち、適宜の２つの線速度倍率でテスト記録を行い、該両線速度倍率での適正記録パワーを求め、該両線速度倍率での前記関数の解に対する該求められた両記録パワーの誤差の平方和が最小となる前記ｂの値を求め、
本番の記録時に、各径方向位置での線速度倍率に応じて、前記ａおよびｂの値が設定された前記関数に基づき適正記録パワー値を求めて、前記光ビームを該求められた記録パワー値に制御する光ディスク記録方法。
【請求項６】
光ディスクの径方向位置に応じて線速度倍率を可変に記録する方法であって、
光ビームの記録パワーｙを線速度倍率ｘに応じて、関数
ｙ＝ａｘ２＋ｂｘ＋ｃ
に従って可変制御するものとし、
該関数のａおよびｂの値をディスク種類に応じた固定値とし、
光ディスクの記録に先立ち、適宜の１つの線速度倍率でテスト記録を行い、その線速度倍率での適正記録パワーを求め、該記録パワーが該線速度倍率での前記関数の解となる前記ｃの値を求め、
本番の記録時に、各径方向位置での線速度倍率に応じて、前記ａ，ｂおよびｃの値が設定された前記関数に基づき適正記録パワー値を求めて、前記光ビームを該求められた記録パワー値に制御する光ディスク記録方法。
【請求項７】
光ディスクの径方向位置に応じて線速度倍率を可変に記録する方法であって、
光ビームの記録パワーｙを線速度倍率ｘに応じて、関数
ｙ＝ａｘ２＋ｂｘ＋ｃ
に従って可変制御するものとし、
該関数のａおよびｂの値をディスク種類に応じた固定値とし、
光ディスクの記録に先立ち、適宜の２つの線速度倍率でテスト記録を行い、該両線速度倍率での適正記録パワーを求め、該両線速度倍率での前記関数の解に対する該求められた両記録パワーの誤差の平方和が最小となる前記ｃの値を求め、
本番の記録時に、各径方向位置での線速度倍率に応じて、前記ａ，ｂおよびｃの値が設定された前記関数に基づき適正記録パワー値を求めて、前記光ビームを該求められた記録パワー値に制御する光ディスク記録方法。
【請求項８】
前記光ディスクを回転速度一定に制御することにより、前記光ディスクの径方向位置に応じた線速度倍率可変制御記録を実行する請求項１から７のいずれかに記載の光ディスク記録方法。
【請求項９】
前記回転速度一定制御の回転数と前記光ディスクのウォブルから読み取られる時間情報に基づき各時点の線速度を演算し、該線速度が所定値に到達した以降外周側で線速度一定に制御して記録する請求項８記載の光ディスク記録方法。
【請求項１０】
光ディスクの径方向位置に応じて線速度倍率を可変に記録する光ディスク記録装置であって、
前記光ディスクを回転駆動するディスクサーボと、
該光ディスクに光ビームを照射して記録および再生を行う光ピックアップと、
該光ピックアップから出射する光ビームのパワーを制御する光パワー制御部と、
該光ピックアップで検出される再生信号に基づき、再生信号品位に関する所定のパラメータ値を求める信号品位検出部と、
システム制御部とを具備し、
該システム制御部は、前記光ディスクの本番の記録に先立ち、所定のテスト領域で、本番の記録で使用する線速度倍率の可変範囲よりも低い複数の線速度倍率でそれぞれテスト記録を行い、これら各テスト記録の再生信号に基づき、再生信号品位に関する所定のパラメータが適正値となる記録パワー値をそれぞれ求め、これら複数の線速度倍率について求められた適正記録パワーに基づき線速度倍率に対する適正記録パワーの特性を設定し、本番の記録時に、各径方向位置での線速度倍率に応じて、前記特性に基づき適正記録パワー値を求めて、前記光パワー制御部に対し、該求められた記録パワー値を指令する制御を行う光ディスク記録装置。
【請求項１１】
光ディスクの径方向位置に応じて線速度倍率を可変に記録する光ディスク記録装置であって、
前記光ディスクを回転駆動するディスクサーボと、
該光ディスクに光ビームを照射して記録および再生を行う光ピックアップと、
該光ピックアップから出射する光ビームのパワーを制御する光パワー制御部と、
該光ピックアップで検出される再生信号に基づき、再生信号品位に関する所定のパラメータ値を求める信号品位検出部と、
システム制御部とを具備し、
該システム制御部は、前記光ディスクの本番の記録に先立ち、所定のテスト領域で、本番の記録で使用する可変範囲内の１つの線速度倍率および該可変範囲よりも低い１つまたは複数の線速度倍率でそれぞれテスト記録を行い、これら各テスト記録の再生信号に基づき、再生信号品位に関する所定のパラメータが適正値となる記録パワー値をそれぞれ求め、これら複数の線速度倍率について求められた適正記録パワーに基づき線速度倍率に対する適正記録パワーの特性を設定し、本番の記録時に、各径方向位置での線速度倍率に応じて、前記特性に基づき適正記録パワー値を求めて、前記光パワー制御部に対し、該求められた記録パワー値を指令する制御を行う光ディスク記録装置。
【請求項１２】
光ディスクの径方向位置に応じて線速度倍率を可変に記録する光ディスク記録装置であって、
前記光ディスクを回転駆動するディスクサーボと、
該光ディスクに光ビームを照射して記録および再生を行う光ピックアップと、
該光ピックアップから出射する光ビームのパワーを制御する光パワー制御部と、
該光ピックアップで検出される再生信号に基づき、再生信号品位に関する所定のパラメータ値を求める信号品位検出部と、
記録線速度倍率ｘに対する前記光ビームの記録パワーｙの特性として、関数
ｙ＝ａｘ＋ｂ
但し、ａ：ディスク種類に応じた固定値
を記憶する記憶部と、
システム制御部とを具備し、
該システム制御部は、前記光ディスクの本番の記録に先立ち、所定のテスト領域で、適宜の１つの線速度倍率でテスト記録を行い、このテスト記録の再生信号に基づき、再生信号品位に関する所定のパラメータが適正値となる記録パワー値を求め、該記録パワーが該線速度倍率での前記関数の解となる前記ｂの値を求め、本番の記録時に、各径方向位置での線速度倍率に応じて、前記関数に基づき適正記録パワー値を求めて、前記光パワー制御部に対し、該求められた記録パワー値を指令する制御を行う光ディスク記録装置。
【請求項１３】
光ディスクの径方向位置に応じて線速度倍率を可変に記録する光ディスク記録装置であって、
前記光ディスクを回転駆動するディスクサーボと、
該光ディスクに光ビームを照射して記録および再生を行う光ピックアップと、
該光ピックアップから出射する光ビームのパワーを制御する光パワー制御部と、
該光ピックアップで検出される再生信号に基づき、再生信号品位に関する所定のパラメータ値を求める信号品位検出部と、
記録線速度倍率ｘに対する前記光ビームの記録パワーｙの特性として、関数
ｙ＝ａｘ＋ｂ
但し、ａ：ディスク種類に応じた固定値
を記憶する記憶部と、
システム制御部とを具備し、
該システム制御部は、前記光ディスクの本番の記録に先立ち、所定のテスト領域で、適宜の２つの線速度倍率でテスト記録を行い、これらテスト記録の再生信号に基づき、再生信号品位に関する所定のパラメータが適正値となる記録パワー値をそれぞれ求め、該両線速度倍率での前記関数の解に対する該求められた両記録パワーの誤差の平方和が最小となる前記ｂの値を求め、本番の記録時に、各径方向位置での線速度倍率に応じて、前記関数に基づき適正記録パワー値を求めて、前記光パワー制御部に対し、該求められた記録パワー値を指令する制御を行う光ディスク記録装置。
【請求項１４】
光ディスクの径方向位置に応じて線速度倍率を可変に記録する光ディスク記録装置であって、
前記光ディスクを回転駆動するディスクサーボと、
該光ディスクに光ビームを照射して記録および再生を行う光ピックアップと、
該光ピックアップから出射する光ビームのパワーを制御する光パワー制御部と、
該光ピックアップで検出される再生信号に基づき、再生信号品位に関する所定のパラメータ値を求める信号品位検出部と、
記録線速度倍率ｘに対する前記光ビームの記録パワーｙの特性として、関数
ｙ＝ａｘ２＋ｂｘ＋ｃ
但し、ａ，ｂ：ディスク種類に応じた固定値
を記憶する記憶部と、
システム制御部とを具備し、
該システム制御部は、前記光ディスクの本番の記録に先立ち、所定のテスト領域で、適宜の１つの線速度倍率でテスト記録を行い、このテスト記録の再生信号に基づき、再生信号品位に関する所定のパラメータが適正値となる記録パワー値を求め、該記録パワーが該線速度倍率での前記関数の解となる前記ｃの値を求め、本番の記録時に、各径方向位置での線速度倍率に応じて、前記関数に基づき適正記録パワー値を求めて、前記光パワー制御部に対し、該求められた記録パワー値を指令する制御を行う光ディスク記録装置。
【請求項１５】
光ディスクの径方向位置に応じて線速度倍率を可変に記録する光ディスク記録装置であって、
前記光ディスクを回転駆動するディスクサーボと、
該光ディスクに光ビームを照射して記録および再生を行う光ピックアップと、
該光ピックアップから出射する光ビームのパワーを制御する光パワー制御部と、
該光ピックアップで検出される再生信号に基づき、再生信号品位に関する所定のパラメータ値を求める信号品位検出部と、
記録線速度倍率ｘに対する前記光ビームの記録パワーｙの特性として、関数
ｙ＝ａｘ２＋ｂｘ＋ｃ
但し、ａ，ｂ：ディスク種類に応じた固定値
を記憶する記憶部と、
システム制御部とを具備し、
該システム制御部は、前記光ディスクの本番の記録に先立ち、所定のテスト領域で、適宜の２つの線速度倍率でテスト記録を行い、これらテスト記録の再生信号に基づき、再生信号品位に関する所定のパラメータが適正値となる記録パワー値をそれぞれ求め、該両線速度倍率での前記関数の解に対する該求められた両記録パワーの誤差の平方和が最小となる前記ｃの値を求め、本番の記録時に、各径方向位置での線速度倍率に応じて、前記関数に基づき適正記録パワー値を求めて、前記光パワー制御部に対し、該求められた記録パワー値を指令する制御を行う光ディスク記録装置。
【請求項１６】
前記記憶部が、ディスク種類ごとに前記記録線速度倍率ｘに対する光ビームの記録パワーｙの特性を記憶しており、
前記システム制御部が、ディスク種類を判別して、前記記憶部に記憶されている光ビームの記録パワーｙの特性のうち該当する特性に基づき光ビームの記録パワーｙを指令する制御を行う請求項１２から１５のいずれかに記載の光ディスク記録装置。
【請求項１７】
前記システム制御部が、前記ディスクサーボに対し、前記光ディスクの適宜の径方向位置を境界として、その内周側で回転速度一定に駆動し、外周側で該回転速度一定制御における線速度倍率最終値で線速度一定に駆動する指令を発する請求項１０から１６のいずれかに記載の光ディスク記録装置。
【請求項１８】
前記光ディスクのウォブルから時間情報を読み取る時間情報読み取り部を更に具備し、
前記システム制御部が、前記回転速度一定制御の回転数と前記光ディスクのウォブルから読み取られる時間情報に基づき各時点の線速度を演算し、該線速度が所定値に到達した以降外周側で線速度一定に制御して記録する請求項１７記載の光ディスク記録装置。
【発明の詳細な説明】
【０００１】
【発明の属する技術分野】
この発明は、ＣＤーＲ（ＣＤレコーダブル）ディスク、ＤＶＤ−Ｒ（ＤＶＤレコーダブル）ディスク等の記録可能型光ディスクの記録方法および記録装置に関し、光ディスクの径方向位置に応じて線速度倍率を可変に記録する場合に、各時点で、光ビームの照射時間に関する記録ストラテジの補正量を適正な値に制御して、あるいは光ビームを適正な記録パワーに制御して高品位な記録を行えるようにしたものである。
【０００２】
【従来の技術】
ＣＤ−Ｒ，ＤＶＤ−Ｒ等の線速度一定（ＣＬＶ）記録型光ディスクの記録方法として、標準の線速度（１倍速）よりも高い線速度で記録する高速記録が用いられることがある。
【０００３】
【発明が解決しようとする課題】
線速度一定記録においては、光ディスクの内周側ほどスピンドル回転数が高くなる。特に、高速記録の場合顕著であり、例えば１６倍速では最内周で８０００ｒｐｍ以上にもなる。このため、ディスク内周側の記録では、ドライブの自励振動が大きくなり（特に、偏重心ディスクの場合）、ピット形成が不安定になる。また、ハードディスクに一旦イメージファイルを作成することなく別のＣＤ−ＲＯＭドライブからＣＤ−Ｒドライブに書き込みを行ういわゆるオンザフライ書き込みを高速で行う場合、ＣＤ−ＲＯＭドライブを回転速度一定（ＣＡＶ）で高速再生させ、ＣＤ−Ｒドライブを線速度一定で高速記録させて記録を行う方法があるが、このときＣＡＶ再生されているＣＤ−ＲＯＭドライブの線速度は、外周側では３２倍速位あっても内周側では１６倍速位しかなく、内周側の再生時にデータ転送が間に合わなくなり、いわゆるバッファアンダーランが生じて書き込みが失敗することがある。
【０００４】
これらの問題を解決する方法として、ＣＤ−Ｒの記録を、図２に示すように、内周側はＣＡＶで行い、外周側はＣＬＶで行う方法が考えられている。すなわち、プログラム領域の最内周位置で線速度が例えば１２倍速に相当する回転数でＣＡＶ記録を開始し、この回転数で線速度が例えば１６倍速に達したら、以後１６倍速でＣＬＶ記録を行う。このようにＣＡＶ記録とＣＬＶ記録を切り換えることにより、最大回転数が抑えれられて自励振動が抑制され、かつオンザフライ書き込みの失敗が防止される。
【０００５】
このようにＣＡＶ記録とＣＬＶ記録を切り換えて記録を行う方法では、ＣＡＶ記録時に線速度が変化するため、記録光ビームの最適記録パワーが順次変化する。また、記録用光ビームの照射時間に関する記録ストラテジとして、
（ｎ＋ｋ）Ｔ
但し、Ｔ：単位ピット長に相当する時間
ｎ：単位ピット長に対する形成すべきピット長の倍数（自然数）
ｋ：補正量
が用いられるが、補正量ｋの適正値も記録時の線速度によって変化する。
【０００６】
この発明は上述の点に鑑みてなされたもので、光ディスクの径方向位置に応じて線速度倍率を可変に記録する場合に、各時点で、光ビームの照射時間に関する記録ストラテジの補正量を適正な値に制御して、あるいは光ビームを適正な記録パワーに制御して高品位な記録を行えるようにした光ディスク記録方法および記録装置を提供しようとするものである。
【０００７】
【課題を解決するための手段】
この発明の光ディスクの記録方法は、形成すべきピット長に応じて記録用光ビームの照射時間を
（ｎ＋ｋ）Ｔ
但し、Ｔ：単位ピット長に相当する時間
ｎ：単位ピット長に対する形成すべきピット長の倍数（自然数）
ｋ：補正量
に制御して光ディスクの記録を行う方法において、線速度倍率を可変に記録する場合に、記録線速度倍率が高くなるにつれて前記光ビームの記録パワーを高くすると共に、所定の線速度倍率を境界として、その速度倍率未満では線速度倍率に応じて前記補正量ｋの値を変化させ、該速度倍率以上では該補正量ｋの値を固定して記録を行うようにしたものである。すなわち、本発明者の実験によれば、後述するように、記録線速度倍率が高くなるにつれて光ビームの記録パワーを高くする場合に、良好な再生信号品位が得られる補正量ｋの値は、記録線速度が比較的低い領域では大きく変化し、記録線速度が比較的高い領域ではほぼ一定となることがわかった。そこで、この発明では、所定の線速度倍率を境界として、その速度倍率未満では線速度倍率に応じて前記補正量ｋの値を変化させ、該速度倍率以上では該補正量ｋの値を固定して記録を行うことにより、高品位な記録を行えるようにしている。この場合、境界の線速度倍率は光ディスクの種類（使用色素の違いやメーカの違い等）によって多少異なるが、概ね８倍速以上の倍率（例えば、８倍速、１０倍速等）に設定できることがわかった。この発明によれば、境界の線速度倍率以上でのみ線速度を変化させて記録を行う場合は、補正量ｋを一定値に固定して記録を行うことができる。また、光ディスクの径方向位置に応じて線速度倍率を可変に記録し、境界の線速度倍率を、該線速度倍率可変範囲内の途中の線速度倍率とする場合には、線速度倍率が該境界の線速度倍率未満の時は線速度倍率に応じて補正量ｋを変化させ、該境界の線速度倍率以上の時は補正量ｋを一定値に固定することができる。
【０００８】
この発明の光ディスク記録方法は、光ディスクの径方向位置に応じて線速度倍率を可変に記録する方法であって、光ディスクの記録に先立ち、本番の記録で使用する線速度倍率の可変範囲よりも低い複数の線速度倍率でそれぞれテスト記録を行い、該各線速度倍率での適正記録パワーを求め、これら複数の線速度倍率について求められた適正記録パワーに基づき線速度倍率に対する適正記録パワーの特性を設定し、本番の記録時に、各径方向位置での線速度倍率に応じて、前記特性に基づき適正記録パワー値を求めて、前記光ビームを該求められた記録パワー値に制御するものである。この発明によれば、本番の記録で使用する線速度倍率の可変範囲よりも低い複数の線速度倍率でそれぞれテスト記録を行うようにしたので、本番の記録で使用する線速度倍率が高い場合であっても、比較的低い回転数でテスト記録を行うことができ、テスト記録時の自励振動を抑制して適正記録パワーを安定に検出して、本番の記録を高品位に行うことができる。この発明の光ディスク記録方法は、光ディスクの径方向位置に応じて線速度倍率を可変に記録する方法であって、光ディスクの記録に先立ち、本番の記録で使用する可変範囲内の１つの線速度倍率および該可変範囲よりも低い１つまたは複数の線速度倍率でそれぞれテスト記録を行い、該各線速度倍率での適正記録パワーを求め、これら複数の線速度倍率について求められた適正記録パワーに基づき線速度倍率に対する適正記録パワーの特性を設定し、本番の記録時に、各径方向位置での線速度倍率に応じて、前記特性に基づき適正記録パワー値を求めて、前記光ビームを該求められた記録パワー値に制御するものである。この発明によれば、本番の記録で使用する可変範囲内の１つの線速度倍率および該可変範囲よりも低い１つまたは複数の線速度倍率でそれぞれテスト記録を行うようにしたので、少なくとも一点については比較的低い回転数でテスト記録を行うことができ、テスト記録時の自励振動を抑制して適正記録パワーを安定に検出して、本番の記録を高品位に行うことができる。また、本番の記録で使用する可変範囲内の線速度倍率と該可変範囲よりも低い線速度倍率でそれぞれテスト記録を行うので、互いに離れた線速度倍率でテスト記録を行うことができ、傾き等の誤差が少ない特性を設定することができる。
【０００９】
なお、上記適正記録パワーの特性は、簡単には例えば１つの一次関数または１つの二次以上の関数で構成することができる。１つの一次関数で構成する場合には、例えば、光ビームの記録パワーｙを線速度倍率ｘに応じて、関数ｙ＝ａｘ＋ｂに従って可変制御するものとし、光ディスクの記録に先立ち、本番の記録で使用する可変範囲内の線速度倍率と該範囲よりも低い線速度倍率の２つの線速度倍率でそれぞれテスト記録を行い（または本番の記録で使用する可変範囲よりも低い２つの線速度倍率でそれぞれテスト記録を行い）、該両線速度倍率での適正記録パワーを求め、該両記録パワーが該各線速度倍率での前記関数の解となる前記ａおよびｂの値を求めて設定し、本番の記録時に、各径方向位置での線速度倍率に応じて、前記ａおよびｂの値が設定された前記関数に基づき適正記録パワー値を求めて、前記光ビームを該求められた記録パワー値に制御するものとすることができる。
【００１０】
この発明の光ディスク記録方法は、光ディスクの径方向位置に応じて線速度倍率を可変に記録する方法であって、光ビームの記録パワーｙを線速度倍率ｘに応じて、関数ｙ＝ａｘ＋ｂに従って可変制御するものとし、該関数のａの値をディスク種類に応じた固定値とし、光ディスクの記録に先立ち、適宜の１つの線速度倍率｛例えば、本番の記録で使用する可変範囲内の線速度倍率または該可変範囲外（例えば、該可変範囲以下）の線速度倍率｝でテスト記録を行い、その線速度倍率での適正記録パワーを求め、該記録パワーが該線速度倍率での前記関数の解となる前記ｂの値を求め、本番の記録時に、各径方向位置での線速度倍率に応じて、前記ａおよびｂの値が設定された前記関数に基づき適正記録パワー値を求めて、前記光ビームを該求められた記録パワー値に制御するものである。この発明の光ディスク記録方法は、光ディスクの径方向位置に応じて線速度倍率を可変に記録する方法であって、光ビームの記録パワーｙを線速度倍率ｘに応じて、関数ｙ＝ａｘ＋ｂに従って可変制御するものとし、該関数のａの値をディスク種類に応じた固定値とし、光ディスクの記録に先立ち、適宜の２つの線速度倍率（例えば、本番の記録で使用する可変範囲内の１つの線速度倍率および該可変範囲よりも低い１つの線速度倍率、または本番の記録で使用する可変範囲よりも低い２つの線速度倍率）でテスト記録を行い、該両線速度倍率での適正記録パワーを求め、該両線速度倍率での前記関数の解に対する該求められた両記録パワーの誤差の平方和が最小となる前記ｂの値を求め、本番の記録時に、各径方向位置での線速度倍率に応じて、前記ａおよびｂの値が設定された前記関数に基づき適正記録パワー値を求めて、前記光ビームを該求められた記録パワー値に制御するものである。本発明者の実験によれば、光ビームの記録パワーｙを線速度倍率ｘに応じて、関数ｙ＝ａｘ＋ｂに従って可変制御できる場合には、該関数のａの値をディスク種類に応じた固定値とし、ｂの値をディスクごとに適宜の１つの線速度倍率でのテスト記録に基づき設定できることがわかった。この発明によれば、ａの値を予め正確に求めて設定しておくことにより、テスト記録でａおよびｂの両方の値を求める場合に比べて、ａの値の測定誤差を少なくすることができる。
なお、この発明において、光ディスクの径方向位置に応じて線速度倍率を可変に記録する方法としては、例えば光ディスクを回転速度一定に制御することにより、光ディスクの径方向位置に応じて線速度倍率が順次変化していく場合を含む。この場合、例えば回転速度一定制御の回転数と光ディスクのウォブルから読み取られる時間情報に基づき各時点の線速度を演算し、該線速度が所定値に到達した以降外周側で線速度一定に制御して記録することができる。
【００１１】
この発明の光ディスク記録装置は、光ディスクを回転駆動するディスクサーボと、該光ディスクに光ビームを照射して記録および再生を行う光ピックアップと、該光ピックアップから出射する光ビームのパワーを制御する光パワー制御部と、形成すべきピット長に応じて記録用光ビームの照射時間を
（ｎ＋ｋ）Ｔ
但し、Ｔ：単位ピット長に相当する時間
ｎ：単位ピット長に対する形成すべきピット長の倍数（自然数）
ｋ：補正量
に制御するストラテジ部と、記録線速度倍率に対する前記光ビームの記録パワーの特性として、記録線速度倍率が高くなるにつれて該光ビームの記録パワーが高くなる特性を記憶し、記録線速度倍率に対する前記補正量ｋの特性として、所定の線速度倍率を境界として、その線速度倍率未満では線速度倍率に応じて前記補正量ｋの値が変化し、該速度倍率以上では前記補正量ｋの値が固定となる特性を記憶する記憶部と、前記光ディスクの記録時に、記録線速度倍率に応じて、前記記憶部に記憶されている光ビームの記録パワーの特性に基づき前記光パワー制御部に光ビームの記録パワーを指令し、該記憶部に記憶されている補正量ｋの特性に基づき前記ストラテジ部に補正量ｋを指令する制御を行うシステム制御部とを具備してなるものである。この場合、例えば前記記憶部が、ディスク種類ごとに前記記録線速度倍率に対する補正量ｋの特性を記憶しており、前記システム制御部が、ディスク種類を判別して、前記記憶部に記憶されている補正量ｋの特性のうち該当する特性に基づき前記ストラテジ部に補正量ｋを指令する制御を行うものとすることができる。
【００１２】
この発明の光ディスク記録装置は、光ディスクの径方向位置に応じて線速度倍率を可変に記録する光ディスク記録装置であって、前記光ディスクを回転駆動するディスクサーボと、該光ディスクに光ビームを照射して記録および再生を行う光ピックアップと、該光ピックアップから出射する光ビームのパワーを制御する光パワー制御部と、該光ピックアップで検出される再生信号に基づき、再生信号品位に関する所定のパラメータ値を求める信号品位検出部と、システム制御部とを具備し、該システム制御部は、前記光ディスクの本番の記録に先立ち、所定のテスト領域で、本番の記録で使用する線速度倍率の可変範囲よりも低い複数の線速度倍率でそれぞれテスト記録を行い、これら各テスト記録の再生信号に基づき、再生信号品位に関する所定のパラメータが適正値となる記録パワー値をそれぞれ求め、これら複数の線速度倍率について求められた適正記録パワーに基づき線速度倍率に対する適正記録パワーの特性を設定し、本番の記録時に、各径方向位置での線速度倍率に応じて、前記特性に基づき適正記録パワー値を求めて、前記光パワー制御部に対し、該求められた記録パワー値を指令する制御を行うものである。
【００１３】
この発明の光ディスク記録装置は、光ディスクの径方向位置に応じて線速度倍率を可変に記録する光ディスク記録装置であって、前記光ディスクを回転駆動するディスクサーボと、該光ディスクに光ビームを照射して記録および再生を行う光ピックアップと、該光ピックアップから出射する光ビームのパワーを制御する光パワー制御部と、該光ピックアップで検出される再生信号に基づき、再生信号品位に関する所定のパラメータ値を求める信号品位検出部と、システム制御部とを具備し、該システム制御部は、前記光ディスクの本番の記録に先立ち、所定のテスト領域で、本番の記録で使用する可変範囲内の１つの線速度倍率および該可変範囲よりも低い１つまたは複数の線速度倍率でそれぞれテスト記録を行い、これら各テスト記録の再生信号に基づき、再生信号品位に関する所定のパラメータが適正値となる記録パワー値をそれぞれ求め、これら複数の線速度倍率について求められた適正記録パワーに基づき線速度倍率に対する適正記録パワーの特性を設定し、本番の記録時に、各径方向位置での線速度倍率に応じて、前記特性に基づき適正記録パワー値を求めて、前記光パワー制御部に対し、該求められた記録パワー値を指令する制御を行うものである。
【００１４】
この発明の光ディスク記録装置は、光ディスクの径方向位置に応じて線速度倍率を可変に記録する光ディスク記録装置であって、前記光ディスクを回転駆動するディスクサーボと、該光ディスクに光ビームを照射して記録および再生を行う光ピックアップと、該光ピックアップから出射する光ビームのパワーを制御する光パワー制御部と、該光ピックアップで検出される再生信号に基づき、再生信号品位に関する所定のパラメータ値を求める信号品位検出部と、記録線速度倍率ｘに対する前記光ビームの記録パワーｙの特性として、関数
ｙ＝ａｘ＋ｂ
但し、ａ：ディスク種類に応じた固定値
を記憶する記憶部と、システム制御部とを具備し、該システム制御部は、前記光ディスクの本番の記録に先立ち、所定のテスト領域で、適宜の１つの線速度倍率でテスト記録を行い、このテスト記録の再生信号に基づき、再生信号品位に関する所定のパラメータが適正値となる記録パワー値を求め、該記録パワーが該線速度倍率での前記関数の解となる前記ｂの値を求め、本番の記録時に、各径方向位置での線速度倍率に応じて、前記関数に基づき適正記録パワー値を求めて、前記光パワー制御部に対し、該求められた記録パワー値を指令する制御を行うものである。
【００１５】
この発明の光ディスク記録装置は、光ディスクの径方向位置に応じて線速度倍率を可変に記録する光ディスク記録装置であって、前記光ディスクを回転駆動するディスクサーボと、該光ディスクに光ビームを照射して記録および再生を行う光ピックアップと、該光ピックアップから出射する光ビームのパワーを制御する光パワー制御部と、該光ピックアップで検出される再生信号に基づき、再生信号品位に関する所定のパラメータ値を求める信号品位検出部と、記録線速度倍率ｘに対する前記光ビームの記録パワーｙの特性として、関数
ｙ＝ａｘ＋ｂ
但し、ａ：ディスク種類に応じた固定値
を記憶する記憶部と、システム制御部とを具備し、該システム制御部は、前記光ディスクの本番の記録に先立ち、所定のテスト領域で、適宜の２つの線速度倍率でテスト記録を行い、これらテスト記録の再生信号に基づき、再生信号品位に関する所定のパラメータが適正値となる記録パワー値をそれぞれ求め、該両線速度倍率での前記関数の解に対する該求められた両記録パワーの誤差の平方和が最小となる前記ｂの値を求め、本番の記録時に、各径方向位置での線速度倍率に応じて、前記関数に基づき適正記録パワー値を求めて、前記光パワー制御部に対し、該求められた記録パワー値を指令する制御を行うものである。
【００１６】
この発明の光ディスク記録装置は、光ディスクの径方向位置に応じて線速度倍率を可変に記録する光ディスク記録装置であって、前記光ディスクを回転駆動するディスクサーボと、該光ディスクに光ビームを照射して記録および再生を行う光ピックアップと、該光ピックアップから出射する光ビームのパワーを制御する光パワー制御部と、該光ピックアップで検出される再生信号に基づき、再生信号品位に関する所定のパラメータ値を求める信号品位検出部と、記録線速度倍率ｘに対する前記光ビームの記録パワーｙの特性として、関数
ｙ＝ａｘ２＋ｂｘ＋ｃ
但し、ａ，ｂ：ディスク種類に応じた固定値
を記憶する記憶部と、システム制御部とを具備し、該システム制御部は、前記光ディスクの本番の記録に先立ち、所定のテスト領域で、適宜の１つの線速度倍率でテスト記録を行い、このテスト記録の再生信号に基づき、再生信号品位に関する所定のパラメータが適正値となる記録パワー値を求め、該記録パワーが該線速度倍率での前記関数の解となる前記ｃの値を求め、本番の記録時に、各径方向位置での線速度倍率に応じて、前記関数に基づき適正記録パワー値を求めて、前記光パワー制御部に対し、該求められた記録パワー値を指令する制御を行うものである。
【００１７】
この発明の光ディスク記録装置は、光ディスクの径方向位置に応じて線速度倍率を可変に記録する光ディスク記録装置であって、前記光ディスクを回転駆動するディスクサーボと、該光ディスクに光ビームを照射して記録および再生を行う光ピックアップと、該光ピックアップから出射する光ビームのパワーを制御する光パワー制御部と、該光ピックアップで検出される再生信号に基づき、再生信号品位に関する所定のパラメータ値を求める信号品位検出部と、記録線速度倍率ｘに対する前記光ビームの記録パワーｙの特性として、関数
ｙ＝ａｘ２＋ｂｘ＋ｃ
但し、ａ，ｂ：ディスク種類に応じた固定値
を記憶する記憶部と、システム制御部とを具備し、該システム制御部は、前記光ディスクの本番の記録に先立ち、所定のテスト領域で、適宜の２つの線速度倍率でテスト記録を行い、これらテスト記録の再生信号に基づき、再生信号品位に関する所定のパラメータが適正値となる記録パワー値をそれぞれ求め、該両線速度倍率での前記関数の解に対する該求められた両記録パワーの誤差の平方和が最小となる前記ｃの値を求め、本番の記録時に、各径方向位置での線速度倍率に応じて、前記関数に基づき適正記録パワー値を求めて、前記光パワー制御部に対し、該求められた記録パワー値を指令する制御を行うものである。
【００１８】
なお、この発明の光ディスク記録装置においては、例えば前記記憶部が、ディスク種類ごとに前記記録線速度倍率ｘに対する光ビームの記録パワーｙの特性を記憶しており、前記システム制御部が、ディスク種類を判別して、前記記憶部に記憶されている光ビームの記録パワーｙの特性のうち該当する特性に基づき光ビームの記録パワーｙを指令する制御を行うものとすることができる。また、例えば前記システム制御部が、前記ディスクサーボに対し、前記光ディスクの適宜の径方向位置を境界として、その内周側で回転速度一定に駆動し、外周側で該回転速度一定制御における線速度倍率最終値で線速度一定に駆動する指令を発するものとすることができる。また、この発明の光ディスク記録装置は、前記光ディスクのウォブルから時間情報を読み取る時間情報読み取り部を更に具備し、前記システム制御部が、前記回転速度一定制御の回転数と前記光ディスクのウォブルから読み取られる時間情報に基づき各時点の線速度を演算し、該線速度が所定値に到達した以降外周側で線速度一定に制御して記録するものとすることができる
【００１９】
また、この発明において、テスト記録は、例えばディスク最内周のＰＣＡ（Ｐｏｗｅｒ　Ｃａｌｉｂｒａｔｉｏｎ　Ａｒｅａ：パワー較正領域）で行うことができる。また、この発明は、ＣＤ−Ｒディスク、ＤＶＤ−Ｒディスク等の色素系追記型線速度一定光ディスク、その他この発明が適用可能な各種光ディスクの記録に適用することができる。
【００２０】
【発明の実施の形態】
この発明の実施の形態を以下説明する。ここでは、ＣＤ−Ｒディスクを、その径方向位置に応じてＣＡＶ記録とＣＬＶ記録に切り換えて記録する際にこの発明を適用した場合について説明する。ＣＤ−Ｒディスクの領域分割を図３に示す。光ディスク１０（ＣＤ−Ｒディスク）は、直径４６〜５０ｍｍの区間がリードイン領域１４として用意され、それよりも内周側にＰＣＡ領域（Ｐｏｗｅｒ　Ｃａｌｉｂｒａｔｉｏｎ　Ａｒｅａ：パワー較正領域）１２が用意されている。ＰＣＡ領域１２は、テスト領域１２ａとカウント領域１２ｂで構成されている。テスト領域１２ａにはＯＰＣ（Ｏｐｔｉｍｕｍ　Ｐｏｗｅｒ　Ｃｏｎｔｒｏｌ：記録ビームの最適記録パワー調整）のテスト記録が行われる。このテスト記録は、例えば１回のテスト記録を記録パワーを１５段階に変化させて行い、１つの記録パワーにつき１サブコードフレーム分（これに限らない）のＥＦＭ信号を記録し、合計１５サブコードフレーム分のＥＦＭ信号を記録して行われる。テスト領域１２ａには、このテスト記録を例えば１００回分（１回のＯＰＣでテスト記録を１回行うので、ＯＰＣ１００回分）行う容量（例えば１５００サブコードフレーム）が割り当てられている。カウント領域１２ｂにはＯＰＣが行われるごとに１サブコードフレーム分のＥＦＭ信号が記録される。カウント領域１２ｂには、テスト領域１２ａと同じＯＰＣ回数分の容量（例えばＯＰＣ１００回分であれば、１００サブコードフレーム）が割り当てられている。ＯＰＣを行う際には、予めカウント領域１２ｂのＥＦＭ信号がどこまで記録されているかを検出して、今回のテスト記録をテスト領域１２ａ内のどこから行うべきかが判断される。
【００２１】
リードイン領域１４に隣接してその外周側にはプログラム領域１８が用意されている。インフォメーション領域１６全体のトラック（プリグルーブ）のウォブルには、ＡＴＩＰ情報として、時間情報等が記録されている。ＡＴＩＰ時間情報は、プログラム領域１８の開始位置を基点として、その外周側ではインフォメーション領域１６の外周側端部まで連続した（単純に増加する）値が記録され、内周側ではインフォメーション領域１６の内周側端部まで連続した（単純に減少する）値が記録されている。リードアウト領域はプログラム領域１８の終端部（記録を閉じた位置）の直後に形成される。
【００２２】
この発明の光ディスク記録装置の実施の形態を図１に示す。光ディスク１０（ＣＤ−Ｒディスク）はスピンドルモータ２４で回転駆動される。スピンドルモータ２４の回転数は周波数発生器２６で検出される。光ピックアップ２８は、光ディスク１０に光ビーム（レーザ光）を照射して、情報の記録および再生を行う。光ピックアップ２８の戻り光受光信号（ＥＦＭ信号）は、ＲＦアンプ３０に供給される。ＡＴＩＰ検出回路３２はＥＦＭ信号からウォブル信号成分を抽出し、さらにこのウォブル信号成分に含まれるＡＴＩＰ情報を復号する。ＡＴＩＰ情報には、各位置の時間情報（アドレス情報）やディスク種類を示す識別情報（ディスクＩＤ）が含まれている。β値検出回路３４は、ＥＦＭ信号波形から再生信号品位に関するパラメータとしてβ値（アシンメトリ値）を算出する。β値は再生ＥＦＭ信号波形のピークレベル（符号は＋）をａ、ボトムレベルをｂ（符号は−）とすると（ａ＋ｂ）／（ａ−ｂ）で求まる。エンベロープ検出回路３６はＥＦＭ信号のエンベロープを検出する。このエンベロープ検出は、ＯＰＣを行う際に、予めカウント領域１２ｂ（図３）のどこまでＥＦＭ信号が記録されているかを検出するのに用いられる。デコーダ３８はＥＦＭ信号をＥＦＭ復調して再生データを得る。
【００２３】
サーボ回路４０はスピンドルモータ２４の回転制御および光ピックアップ２８のフォーカス、トラッキング、送りの各制御を行う。スピンドルモータ２４の制御は、径方向位置に応じてＣＡＶ制御とＣＬＶ制御を切り換えて行う。ＣＡＶ制御は、周波数発生器２６で検出される回転数が、設定された回転数に一致するようにスピンドルモータ２４を制御することにより行われる。ＣＬＶ制御は、ＥＦＭ信号から検出されるウォブル信号が、設定された線速度倍率になるようにスピンドルモータ２４を制御することにより行われる。レーザドライバ４２は光ピックアップ２８内のレーザ源を駆動する。光パワー制御回路４４はレーザドライバ４２を制御して、記録時（テスト記録時および本番の記録時）および再生時のレーザパワーを制御する。記録データはエンコーダ４６でＥＦＭ変調され、ストラテジ回路４８で時間軸が補正処理されて、レーザドライバ４２のレーザ駆動信号を変調する。この変調されたレーザ駆動信号で光ピックアップ２８のレーザ源を駆動することにより、情報の記録が行われる。再生時は、レーザドライバ４２は光ピックアップ２８のレーザ源を所定の再生パワーで駆動する。
メモリ５２はフラッシュＲＯＭ等で構成され、ディスクＩＤごとに、記録線速度倍率に対する記録ストラテジの補正値ｋの特性および記録線速度倍率に対する記録パワーの特性を記憶している。これらの特性情報はダウンロードで更新することができる。
【００２４】
システム制御回路５０（ＣＰＵ）は、この光ディスク記録装置全体を制御する。システム制御回路５０は、この発明に関し、特に次の制御を行う。
（ａ）ＡＴＩＰ検出回路３２で検出されるディスクＩＤに基づきディスク種類を判別して、メモリ５２に記憶されている記録ストラテジの補正量ｋの特性および光ビームの記録パワーの特性のうち該当する特性を指定する。
（ｂ）光ディスク１０の本番の記録に先立ち、ＰＣＡ領域１２でテスト記録を行い、該テスト記録の再生信号に基づき、β値検出回路３４で検出されるβ値が適正値となる記録パワー値を求め、この測定に基づき光ビームの記録パワーの特性関数における未定の定数を設定する。
（ｃ）本番の記録時に、回転速度一定制御の指令回転数（ドライブに予め設定されている回転数上限値等）とＡＴＩＰ検出回路３２で検出される時間情報に基づき各時点の線速度倍率を演算し、サーボ回路４０に対し、該線速度倍率が指令線速度倍率（使用者等により指令された線速度倍率）に到達する前の内周側で、該指令回転数で回転速度一定駆動を指令し、該線速度倍率が該指令線速度倍率に到達した以降外周側で、該指令線速度倍率で線速度一定駆動を指令する。この場合、各時点の線速度倍率Ｖは、例えば次式の演算により求められる。
【００２５】
Ｖ＝２πＲ・ＶＣＡＶ／ＶＣＬＶ
但し、Ｒ：該当位置の半径値
ＶＣＡＶ：回転速度一定制御の指令回転数
ＶＣＬＶ：ディスク固有の線速度
なお、上式で該当位置の半径値Ｒは、例えば次式の演算により求められる。
Ｒ＝｛（Ｔ・Ｐ・ＶＣＬＶ／π）＋Ｒ０２｝１／２
但し、Ｔ：該当位置のＡＴＩＰ時間情報
Ｐ：ディスク固有のトラックピッチ
Ｒ０：プログラム領域最内周半径
例えば、Ｐ＝１．６μｍ、ＶＣＬＶ＝１．２ｍ／秒のディスクを用いて、ＶＣＡＶ＝６０００ｒｐｍでＣＡＶ駆動する場合を想定すると、Ｔ＝５分００秒００フレームの位置の半径値Ｒは、
Ｒ＝〔｛（５・６０）・（１．６・１０−３）・（１．２・１０３）／π｝＋２５２〕１／２＝２８．４３ｍｍ
であるから、その位置での線速度倍率Ｖは、
Ｖ＝２π・２８．４３・（６０００／６０）／（１．２・１０３）＝１４．８８倍速
として求まる。なお、ディスク固有の線速度ＶＣＬＶおよびディスク固有のトラックピッチＰの値は、例えば光ディスク記録装置に光ディスク１０を挿入した後本番の記録前に測定するかあるいはディスク種類ごとのこれらの値をメモリ５２に記憶しておくことにより取得することができる。
（ｄ）本番の記録時に、記録線速度倍率に応じて、光ビームの記録パワーの特性に基づき光パワー制御回路４４に光ビームの記録パワーを指令し、記録ストラテジの補正量ｋの特性に基づきストラテジ回路４８に補正量ｋを指令する。
【００２６】
なお、光ディスク１０がメモリ５２に記憶されていないディスク種類の場合は、システム制御回路５０は、少なくとも２つの線速度倍率についてテスト記録を行って、記録線速度倍率に対する光ビームの記録パワーの特性全体を設定する。また、このとき記録ストラテジの補正量ｋについては、例えば標準的な特性をメモリ５２に記憶しておいて、それを使用するようにする。
【００２７】
図１の光ディスク記録装置による記録用光ビームの照射時間の補正量の調整について説明する。ストラテジ回路４８は、形成すべきビット長に応じて記録用光ビームの照射時間を（ｎ＋ｋ）Ｔ
但し、Ｔ：単位ピット長に相当する時間
ｎ：単位ピット長に対する形成すべきピット長の倍数（３から１１の自然数）
ｋ：補正量
に制御する。図４は、記録用光ビームのパワー（記録パワー）を適正に保った状態で、記録線速度倍率を変化させて記録した場合に、再生信号のＣ１エラー、ジッタ等の特性が良好となる補正量ｋの範囲（ハッチングで示す領域）を示したものである。これによれば、記録線速度倍率がほぼ８倍率を境界にそれ以下では記録線速度倍率に対する適正なｋ値の範囲は大きく変動するが、それ以上では記録線速度倍率が変化しても適正なｋ値の範囲はあまり変化しないことがわかる。図４の特性の光ディスクを使用する場合のストラテジ回路４８による補正量ｋの特性例を図５に示す。図５の特性では補正量ｋを、８倍速を境界の線速度倍率として、８倍速未満では記録線速度倍率に応じて直線状（または曲線状でもよい）に変化させ、８倍速以上では一定値ｋｃとしている。なお、予めディスク種類ごとの補正量ｋの特性をメモリ５２に記憶しておき、検出されるディスクＩＤに応じて該当する特性を読み出して使用する。
【００２８】
図５の補正量ｋの特性を使用して、ＣＡＶ記録とＣＬＶ記録を切り換えて記録する場合の、ディスク径方向位置に対する線速度倍率および補正量ｋの変化を図６〜図８に示す。図６は、ＣＡＶ記録の線速度倍率が常に８倍速以下の場合で（ＶｉはＣＡＶ記録の線速度倍率初期値を示し、Ｖｅは同線速度倍率最終値を示す。）、このとき補正量ｋはＣＡＶ記録領域全体にわたり変化する。図７は、ＣＡＶ記録の線速度倍率が８倍速を挟んで変化する場合で、このとき補正量ｋは８倍速に達した以降一定値ｋｃに固定される。図８は、ＣＡＶ記録の線速度倍率が常に８倍速以上の場合で、このとき補正量ｋｃはプログラム領域全域にわたり一定値ｋｃに固定される。
【００２９】
次に、図１の光ディスク記録装置による記録用光ビームのパワー制御について説明する。ここでは、記録線速度倍率を図９（ａ）のように変化させて記録を行う。すなわち、ＣＬＶ記録の線速度倍率をＶｅ（使用者等によって指令された線速度倍率）に設定し、プログラム領域１８のうちこの線速度倍率Ｖｅで回転数が指令値（ドライブに予め設定された回転数上限値等）以上となる内周側の領域について該指令回転数でＣＡＶ記録する。該ＣＡＶ記録の線速度倍率初期値はＶｉ、線速度倍率最終値はＶｅである。図９（ｂ）はこのときの光ビームの記録パワーの変化を示す。ＣＡＶ記録領域では線速度倍率の上昇とともに記録パワーが上昇し（線速度倍率初期値Ｖｉにおける記録パワーはＰｉ、線速度倍率最終値Ｖｅにおける記録パワーはＰｅ）、ＣＬＶ記録領域に達すると記録パワーはＰｅで一定となる。
【００３０】
図９のように記録線速度倍率および記録パワーを制御して記録を行う場合の、記録線速度倍率に対する記録パワー特性の求め方について、具体例を説明する。
〔例１〕Ａ社のスーパーシアニン系ＣＤ−Ｒディスク（以下「ディスクＡ」）を使用した場合の例
図１０は、ディスクＡを用いて様々な線速度倍率において記録パワーを様々に変化させて記録した場合の、記録パワーに対する再生ＲＦ信号のβ値の特性を示す。図１１は該再生ＲＦ信号をＥＦＭ復調したときの、β値に対するＣ１エラーの特性を示す。図１２は該再生ＲＦ信号の、β値に対するピットジッタの特性を示す。図１３は図１０の特性を展開して求めた、各β値ごとの記録線速度倍率に対する記録パワーの特性である。図１３によれば、β値を所定値に保って記録する際の線速度倍率に対する記録パワーの特性は一次関数
ｙ＝ａｘ＋ｂ
但し、ｙ：記録パワー
ｘ：線速度倍率
で近似できる。また、図１１，図１２によれば、ディスクＡの場合、高速記録時でもパワーマージンが十分広い（Ｃ１エラーおよびピットジッタが低いときのβ値の範囲が広い）ので、記録線速度倍率によらずβ値の目標値（ターゲットβ）を一定値に設定することができる。したがって、β値の目標値を例えば５％一定に設定すると、図１３から、記録線速度倍率に対する記録パワーの特性関数ｙ＝ａｘ＋ｂのａ（傾き）、ｂ（ｙ切片）の値を、ａ＝１．８２５８，ｂ＝３．８５７９に設定できることがわかる。
【００３１】
図１０の特性は光ビームの波長が７８７ｎｍの場合であるが、光ビームの波長はドライブごとに多少異なるから、この波長の違いによる影響を検討する必要がある。図１４は光ビームの波長が７８３．７ｎｍのドライブを用いてディスクＡに様々な線速度倍率で記録パワーを様々に変化させて記録した場合の、記録パワーに対する再生ＲＦ信号のβ値の特性を示す。図１５は図１４の特性を展開して求めた、各β値ごとの記録線速度倍率に対する記録パワーの特性である。図１５によれば、β値が５％のときの関数ｙ＝ａｘ＋ｂのａ，ｂの値は、ａ＝１．８２４４，ｂ＝３．１８４１となる。これらの値と図１３によるβ値が５％のときのａ，ｂの値とを比較すると、ａの値はほぼ等しく、ｂの値が比較的大きく変化している。したがって、この結果から、光ビームの波長が多少異なっても、ａの値は固定で、ｂの値のみ変化させればよいことがわかる。そこで、メモリ５２にディスクＡに関する記録線速度倍率に対する記録パワーの特性関数として、ｙ＝ａｘ＋ｂ（ａは固定、ｂは未定）を予め記憶しておき、本番の記録に先立ちテスト記録（ＯＰＣ）を行ってｂの値を設定する。
【００３２】
テスト記録でｂの値を求めて設定する手法の具体例を説明する。
（図１６の手法）
本番の記録時に使用する線速度倍率の可変範囲（Ｖｉ〜Ｖｅ）内または該可変範囲外（例えば該可変範囲以下）の適宜の１つの線速度倍率Ｖ１でＯＰＣを行い、その線速度倍率Ｖ１での適正記録パワー（設定された目標β値が得られる記録パワー）Ｐ１を求め、該記録パワーＰ１が該線速度倍率Ｖ１での特性関数ｙ＝ａｘ＋ｂの解となるｂの値を求めて設定する。
【００３３】
（図１７の手法）
本番の記録時に使用する線速度倍率の可変範囲（Ｖｉ〜Ｖｅ）よりも低い２つの線速度倍率Ｖ１，Ｖ２（例えば、Ｖｉ＝１０倍速、Ｖｅ＝１６倍速の場合、Ｖ１＝４倍速、Ｖ２＝８倍速等）でＯＰＣを行い、これら各線速度倍率Ｖ１，Ｖ２での適正な記録パワー（設定された目標β値が得られる記録パワー）Ｐ１，Ｐ２を求め、特性関数ｙ＝ａｘ＋ｂに対するＰ１，Ｐ２の誤差の平方和が最小となるｂの値を最小自乗法により求めて設定する。あるいは、本番の記録時に使用する線速度倍率の可変範囲（Ｖｉ〜Ｖｅ）よりも低い３つ以上の線速度倍率でＯＰＣを行い、同様に最小自乗法によりｂの値を求めて設定することもできる。
【００３４】
（図１８の手法）
本番の記録時に使用する線速度倍率の可変範囲（Ｖｉ〜Ｖｅ）よりも低い１つの線速度倍率Ｖ１と該範囲内の１つの線速度倍率Ｖ２（例えば、Ｖｉ＝１０倍速、Ｖｅ＝１６倍速の場合、Ｖ１＝８倍速、Ｖ２＝１２倍速等）でＯＰＣを行い、これら各線速度倍率Ｖ１，Ｖ２での適正な記録パワー（設定された目標β値が得られる記録パワー）Ｐ１，Ｐ２を求め、特性関数ｙ＝ａｘ＋ｂに対するＰ１，Ｐ２の誤差の平方和が最小となるｂの値を最小自乗法により求めて設定する。あるいは、本番の記録時に使用する線速度倍率の可変範囲（Ｖｉ〜Ｖｅ）よりも低い２つ以上の線速度倍率と該範囲内の１つの線速度倍率でＯＰＣを行い、同様に最小自乗法によりｂの値を求めて設定することもできる。
【００３５】
〔例２〕Ｂ社のシアニン系ＣＤ−Ｒディスク（以下「ディスクＢ」）を使用した場合の例
図１９は、ディスクＢを用いて様々な線速度倍率において記録パワーを様々に変化させて記録した場合の、記録パワーに対する再生ＲＦ信号のβ値の特性を示す。図２０は該再生ＲＦ信号をＥＦＭ復調したときの、β値に対するＣ１エラーの特性を示す。図２１は該再生ＲＦ信号の、β値に対するピットジッタの特性を示す。図２２は図１９の特性を展開して求めた、各β値ごとの記録線速度倍率に対する記録パワーの特性である。図２２によれば、β値を所定値に保って記録する際の線速度倍率に対する記録パワーの特性は一次関数
ｙ＝ａｘ＋ｂ
但し、ｙ：記録パワー
ｘ：線速度倍率
で近似できる。ただし、図２０，図２１によれば、ディスクＢの場合、高速記録時のパワーマージンが狭い（Ｃ１エラーおよびピットジッタが低いときのβ値の範囲が狭い）ので、記録線速度倍率に応じてβ値の目標値を変更することが望ましい。図２２の太線は記録線速度倍率に応じてＣ１エラーおよびピットジッタが小さい値を保持するようにβ値を変更したときの、記録線速度倍率に対する記録パワーの特性例を示したものである。この特性は二次関数
ｙ＝ａｘ２＋ｂｘ＋ｃ
で表されるもので、この例ではａ＝−０．０２１７，ｂ＝１．８１６９，ｃ＝４．４０８である。ただし、ｃの値は光ビームの波長に応じて比較的大きく変化する。そこで、メモリ５２にディスクＢに関する記録線速度倍率に対する記録パワーの特性関数として、ｙ＝ａｘ２＋ｂｘ＋ｃ（ａ，ｂは固定、ｃは未定）を予め記憶しておき、本番の記録に先立ちテスト記録（ＯＰＣ）を行ってｃの値を設定する。
【００３６】
テスト記録でｃの値を求めて設定する手法の具体例を説明する。
（図２３の手法）
本番の記録時に使用する線速度倍率の可変範囲（Ｖｉ〜Ｖｅ）内または該可変範囲外（例えば該可変範囲以下）の適宜の１つの線速度倍率Ｖ１でＯＰＣを行い、その線速度倍率Ｖ１での適正記録パワー（設定された目標β値が得られる記録パワー）Ｐ１を求め、該記録パワーＰ１が該線速度倍率Ｖ１での特性関数ｙ＝ａｘ２＋ｂｘ＋ｃの解となるｃの値を求めて設定する。
【００３７】
（図２４の手法）
本番の記録時に使用する線速度倍率の可変範囲（Ｖｉ〜Ｖｅ）よりも低い２つの線速度倍率Ｖ１，Ｖ２（例えば、Ｖｉ＝１０倍速、Ｖｅ＝１６倍速の場合、Ｖ１＝４倍速、Ｖ２＝８倍速等）でＯＰＣを行い、これら各線速度倍率Ｖ１，Ｖ２での適正な記録パワー（該線速度倍率Ｖ１，Ｖ２ごとに設定された目標β値が得られる記録パワー）Ｐ１，Ｐ２を求め、特性関数ｙ＝ａｘ２＋ｂｘ＋ｃに対するＰ１，Ｐ２の誤差の平方和が最小となるｃの値を最小自乗法により求めて設定する。あるいは、本番の記録時に使用する線速度倍率の可変範囲（Ｖｉ〜Ｖｅ）よりも低い３つ以上の線速度倍率でＯＰＣを行い、同様に最小自乗法によりｃの値を求めて設定することもできる。
【００３８】
（図２５の手法）
本番の記録時に使用する線速度倍率の可変範囲（Ｖｉ〜Ｖｅ）よりも低い１つの線速度倍率Ｖ１と該範囲内の１つの線速度倍率Ｖ２（例えば、Ｖｉ＝１０倍速、Ｖｅ＝１６倍速の場合、Ｖ１＝８倍速、Ｖ２＝１２倍速等）でＯＰＣを行い、これら各線速度倍率Ｖ１，Ｖ２での適正な記録パワー（該線速度倍率Ｖ１，Ｖ２ごとに設定された目標β値が得られる記録パワー）Ｐ１，Ｐ２を求め、特性関数ｙ＝ａｘ２＋ｂｘ＋ｃに対するＰ１，Ｐ２の誤差の平方和が最小となるｃの値を最小自乗法により求めて設定する。あるいは、本番の記録時に使用する線速度倍率の可変範囲（Ｖｉ〜Ｖｅ）よりも低い２つ以上の線速度倍率と該範囲内の１つの線速度倍率でＯＰＣを行い、同様に最小自乗法によりｃの値を求めて設定することもできる。
【００３９】
〔例３〕Ｃ社のフタロシアニン系ＣＤ−Ｒディスク（以下「ディスクＣ」）を使用した場合の例
図２６は、ディスクＣを用いて様々な線速度倍率において記録パワーを様々に変化させて記録した場合の、記録パワーに対する再生ＲＦ信号のβ値の特性を示す。図２７は該再生ＲＦ信号をＥＦＭ復調したときの、β値に対するＣ１エラーの特性を示す。図２８は該再生ＲＦ信号の、β値に対するピットジッタの特性を示す。図２９は図２６の特性を展開して求めた、各β値ごとの記録線速度倍率に対する記録パワーの特性である。図２９によれば、β値を所定値に保って記録する際の線速度倍率に対する記録パワーの特性は一次関数
ｙ＝ａｘ＋ｂ
但し、ｙ：記録パワー
ｘ：線速度倍率
で近似できる。ただし、図２７，図２８によれば、ディスクＣの場合、高速記録時のパワーマージンが狭い（Ｃ１エラーおよびピットジッタが低いときのβ値の範囲が狭い）ので、記録線速度倍率に応じてβ値の目標値を変更することが望ましい。図２９の太線は記録線速度倍率に応じてＣ１エラーおよびピットジッタが小さい値を保持するようにβ値を変更したときの、記録線速度倍率に対する記録パワーの特性例を示したものである。この特性は二次関数
ｙ＝ａｘ２＋ｂｘ＋ｃ
で表されるもので、この例ではａ＝−０．０１４８，ｂ＝１．４２３２，ｃ＝４．５９３３である。ただし、ｃの値は光ビームの波長に応じて比較的大きく変化する。そこで、メモリ５２にディスクＣに関する記録線速度倍率に対する記録パワーの特性関数として、ｙ＝ａｘ２＋ｂｘ＋ｃ（ａ，ｂは固定、ｃは未定）を予め記憶しておき、本番の記録に先立ちテスト記録（ＯＰＣ）を行ってｃの値を設定する。テスト記録でｃの値を求めて設定する手法は、ディスクＢについて示した図２３〜図２５と同様の手法を用いることができる。
【００４０】
次に、メモリ５２に記憶されていない光ディスクが挿入された場合の記録線速度倍率に対する記録パワーの特性関数の設定手法の具体例を説明する。
（図３０の手法）
本番の記録時に使用する線速度倍率の可変範囲（Ｖｉ〜Ｖｅ）よりも低い２つの線速度倍率Ｖ１，Ｖ２（例えば、Ｖｉ＝１０倍速、Ｖｅ＝１６倍速の場合、Ｖ１＝４倍速、Ｖ２＝８倍速等）でＯＰＣを行い、これら各線速度倍率Ｖ１，Ｖ２での適正な記録パワー（設定された目標β値が得られる記録パワー）Ｐ１，Ｐ２を求め、これらＰ１，Ｐ２が解となる特性関数ｙ＝ａｘ＋ｂを求めて設定する。または、本番の記録時に使用する線速度倍率の可変範囲（Ｖｉ〜Ｖｅ）よりも低い３つ以上の線速度倍率でＯＰＣを行い、最小自乗法により特性関数ｙ＝ａｘ＋ｂ全体を求め、あるいは該３つ以上の適正記録パワー値間を直線または曲線で結んで直線近似または曲線近似により特性関数を求めて設定することもできる。
【００４１】
（図３１の手法）
本番の記録時に使用する線速度倍率の可変範囲（Ｖｉ〜Ｖｅ）よりも低い１つの線速度倍率Ｖ１と該範囲内の１つの線速度倍率Ｖ２（例えば、Ｖｉ＝１０倍速、Ｖｅ＝１６倍速の場合、Ｖ１＝８倍速、Ｖ２＝１２倍速等）でＯＰＣを行い、これら各線速度倍率Ｖ１，Ｖ２での適正な記録パワー（設定された目標β値が得られる記録パワー）Ｐ１，Ｐ２を求め、これらＰ１，Ｐ２が解となる特性関数ｙ＝ａｘ＋ｂを求めて設定する。または、本番の記録時に使用する線速度倍率の可変範囲（Ｖｉ〜Ｖｅ）よりも低い２つ以上の線速度倍率と該範囲内の１つの線速度倍率でＯＰＣを行い、最小自乗法により特性関数ｙ＝ａｘ＋ｂ全体を求め、あるいは該３つ以上の記録パワー値間を直線または曲線で結んで直線近似または曲線近似により特性関数を求めて設定することもできる。
なお、前期実施の形態では、再生信号品位に関するパラメータとしてβ値を用いたが、ＣＩエラーもしくはピットジッタのみ、またはその他の再生信号品位に関するパラメータを用いることもできる。
【図面の簡単な説明】
【図１】この発明の光ディスク記録装置の実施の形態を示すブロック図である。
【図２】ＣＤ−Ｒの記録を、内周側はＣＡＶで行い、外周側はＣＬＶで行う方法の説明図である。
【図３】ＣＤ−Ｒディスクの領域分割を示す径方向の断面図である。
【図４】ＣＤ−Ｒディスクの、記録速度倍率に対する補正量ｋの適正範囲の一例を示す特性図である。
【図５】図４の特性の光ディスクを使用する場合の図１のストラテジ回路４８による補正量ｋの特性例を示す図である。
【図６】図５の補正量ｋの特性を使用して、ＣＡＶ記録とＣＬＶ記録を切り換えて記録する場合の、ディスク径方向位置に対する線速度倍率および補正量ｋの変化特性の一例を示す図である。
【図７】図５の補正量ｋの特性を使用して、ＣＡＶ記録とＣＬＶ記録を切り換えて記録する場合の、ディスク径方向位置に対する線速度倍率および補正量ｋの変化特性の他の例を示す図である。
【図８】図５の補正量ｋの特性を使用して、ＣＡＶ記録とＣＬＶ記録を切り換えて記録する場合の、ディスク径方向位置に対する線速度倍率および補正量ｋの変化特性の更に別の例を示す図である。
【図９】光ディスクの半径位置に対する記録線速度倍率および光ビームの記録パワーの変化特性例を示す図である。
【図１０】ディスクＡを用いて様々な線速度倍率において記録パワーを様々に変化させて記録した場合の、記録パワーに対する再生ＲＦ信号のβ値の特性を示す図である。
【図１１】図１０の記録による再生ＲＦ信号をＥＦＭ復調したときの、β値に対するＣ１エラーの特性を示す図である。
【図１２】図１０の記録による再生ＲＦ信号の、β値に対するピットジッタの特性を示す図である。
【図１３】図１０の特性を展開して求めた、各β値ごとの記録線速度倍率に対する記録パワーの特性図である。
【図１４】光ビームの波長が異なるドライブを用いてディスクＡに様々な線速度倍率で記録パワーを様々に変化させて記録した場合の、記録パワーに対する再生ＲＦ信号のβ値の特性を示す図である。
【図１５】図１４の特性を展開して求めた、各β値ごとの記録線速度倍率に対する記録パワーの特性図である。
【図１６】ディスクＡについてテスト記録で記録パワー特性ｙ＝ａｘ＋ｂのｂの値を求める手法の一例を示す図である。
【図１７】ディスクＡについてテスト記録で記録パワー特性ｙ＝ａｘ＋ｂのｂの値を求める手法の他の例を示す図である。
【図１８】ディスクＡについてテスト記録で記録パワー特性ｙ＝ａｘ＋ｂのｂの値を求める手法の更に別の例を示す図である。
【図１９】ディスクＢを用いて様々な線速度倍率において記録パワーを様々に変化させて記録した場合の、記録パワーに対する再生ＲＦ信号のβ値の特性を示す図である。
【図２０】図１９の記録による再生ＲＦ信号をＥＦＭ復調したときの、β値に対するＣ１エラーの特性を示す図である。
【図２１】図１９の記録による再生ＲＦ信号の、β値に対するピットジッタの特性を示す図である。
【図２２】図１９の特性を展開して求めた、各β値ごとの記録線速度倍率に対する記録パワーの特性図である。
【図２３】ディスクＢについてテスト記録で記録パワー特性ｙ＝ａｘ２＋ｂｘ＋ｃのｂ，ｃの値を求める手法の一例を示す図である。
【図２４】ディスクＢについてテスト記録で記録パワー特性ｙ＝ａｘ２＋ｂｘ＋ｃのｂ，ｃの値を求める手法の他の例を示す図である。
【図２５】ディスクＢについてテスト記録で記録パワー特性ｙ＝ａｘ２＋ｂｘ＋ｃのｂ，ｃの値を求める手法の更に別の例を示す図である。
【図２６】ディスクＣを用いて様々な線速度倍率において記録パワーを様々に変化させて記録した場合の、記録パワーに対する再生ＲＦ信号のβ値の特性を示す図である。
【図２７】図２６の記録による再生ＲＦ信号をＥＦＭ復調したときの、β値に対するＣ１エラーの特性を示す図である。
【図２８】図２６の記録による再生ＲＦ信号の、β値に対するピットジッタの特性を示す図である。
【図２９】図２６の特性を展開して求めた、各β値ごとの記録線速度倍率に対する記録パワーの特性図である。
【図３０】図１のメモリ５２に記憶されていない光ディスクが挿入された場合の記録線速度倍率に対する記録パワーの特性関数の設定手法の一例を示す図である。
【図３１】図１のメモリ５２に記憶されていない光ディスクが挿入された場合の記録線速度倍率に対する記録パワーの特性関数の設定手法の他の例を示す図である。
【符号の説明】
１０…ＣＤ−Ｒディスク（光ディスク）、４０…サーボ回路（ディスクサーボ）、２８…光ピックアップ、２８…ＡＴＩＰ検出回路（時間情報読み取り部）、４４…光パワー制御回路（光パワー制御部）、４８…ストラテジ回路（ストラテジ部）、５２…メモリ（記憶部）、５０…システム制御回路（システム制御部）、３４…β値検出回路（信号品位検出部）。
【図１】
2004030893.tif 000003
【図２】
2004030893.tif 000004
【図３】
2004030893.tif 000005
【図４】
2004030893.tif 000006
【図５】
2004030893.tif 000007
【図６】
2004030893.tif 000008
【図７】
2004030893.tif 000009
【図８】
2004030893.tif 000010
【図９】
2004030893.tif 000011
【図１０】
2004030893.tif 000012
【図１１】
2004030893.tif 000013
【図１２】
2004030893.tif 000014
【図１３】
2004030893.tif 000015
【図１４】
2004030893.tif 000016
【図１５】
2004030893.tif 000017
【図１６】
2004030893.tif 000018
【図１７】
2004030893.tif 000019
【図１８】
2004030893.tif 000020
【図１９】
2004030893.tif 000021
【図２０】
2004030893.tif 000022
【図２１】
2004030893.tif 000023
【図２２】
2004030893.tif 000024
【図２３】
2004030893.tif 000025
【図２４】
2004030893.tif 000026
【図２５】
2004030893.tif 000027
【図２６】
2004030893.tif 000028
【図２７】
2004030893.tif 000029
【図２８】
2004030893.tif 000030
【図２９】
2004030893.tif 000031
【図３０】
2004030893.tif 000032
【図３１】
2004030893.tif 000033